(57)【要約】【課題】  電子カセッテの取り扱い性を向上させるにあたり、ケーブルを着脱可能にする場合には電気的安全性や接触端子劣化等の問題があり、また、ケーブルレスにする場合には無線通信における他装置への影響や転送信頼性の低下等の問題があるため、電子カセッテを有する放射線撮影システムにおいて、電気的安全性や電磁環境適合性を損なうことなく、使用者の取り扱い性を向上させ、安全かつ信頼性の高い放射線撮影システムを提供する。【解決手段】  撮影部と制御部とを接続するケーブル１５２が撮影部近傍で着脱可能であって、着脱部１０２及び１５３には導電性接触部分が無く、該着脱部は近距離無線通信手段を有しており、制御部１５１は接続された撮影部１０１との間で放射線撮影動作を行なうことを特徴とする。【選択図】        図１
2006320532.tif 000002
【特許請求の範囲】
【請求項１】
被写体を透過した放射線に基づき被写体の放射線画像を撮影する撮影部と、前記撮影部を制御する制御部とを有する放射線撮影システムにおいて、
前記撮影部と前記制御部とを接続するケーブルが前記撮影部近傍において着脱可能な構成になっており、
前記撮影部及び前記ケーブルの着脱部は近距離無線通信手段を有しており、
前記制御部は前記ケーブルと前記撮影部との装着状態を検知する検出手段を有し、
該装着状態において前記撮影部との間で放射線撮影動作を行なうことを特徴とする放射線撮影システム。
【請求項２】
前記撮影部への電源供給は、電磁結合方式や電磁誘導方式等の非接触方式により行なわれることを特徴とする請求項１記載の放射線撮影システム。
【請求項３】
前記撮影部及び前記ケーブルの着脱部に構成されている無線通信部の無線通信出力パワーは、互いに接続された前記着脱部間でのみ通信可能なレベルであることを特徴とする請求項１記載の放射線撮影システム。
【発明の詳細な説明】
【技術分野】
【０００１】
本発明は、固体撮像装置等を用いた放射線撮影システムに関するものである。
【背景技術】
【０００２】
従来から、医療診断を目的とするＸ線撮影には、増感紙とＸ線写真フィルムを組み合わせたフィルム／スクリーンシステムが汎用されている。かかるシステムによれば、被写体を通過したＸ線は被写体の内部情報を含み、増感紙によってＸ線の強度に比例した可視光に変換され、Ｘ線写真フィルムを感光させ、Ｘ線画像をフィルムに形成する。フィルム上に形成された潜像は化学処理で現像することによって可視化される。
【０００３】
また、近年では、蓄積性蛍光体から成る放射線検出器を備えた画像記録再生装置が考案され実用化されている。この画像記録再生装置においては、放射線が被写体を透過して蓄積性蛍光体に入射すると、放射線エネルギーの一部が蓄積性蛍光体に蓄積される。そして、蓄積性蛍光体にレーザー光等の励起光を照射すると、蓄積性蛍光体は蓄積したエネルギーに応じた輝尽発光を示す。得られた輝尽発光光は信号読取手段により光電的に読み取られ、写真感光材料等の記録材料又はＣＲＴ等の表示手段に可視像として記録又は表示される。
【０００４】
また、半導体プロセス技術の進歩により、放射線をリアルタイムで直接にデジタル出力する放射線検出器が提案されている（例えば、特許文献１参照。）。
【０００５】
これらの半導体センサを用いたシステムは、従来の感光性フィルムを用いる放射線写真システムと比較して非常に広いダイナミックレンジを有しており、放射線の露光量の変動に影響されない放射線画像を得ることができるという利点がある。このシステムにおいては、Ｘ線を光電変換手段により読み取って電気信号に変換した後に、ＣＲＴ等の表示装置に放射線画像を即時的に可視像として出力することができる。
【０００６】
図８は上述した半導体センサを用いた放射線画像撮影システムの概略図である。Ｘ線撮影システム８００は、同図に示すように、撮影部８０４を撮影室８３０内に固定し、撮影部８０４の前に患者８０３を立たせ、撮影したい部位にＸ線管球８０２を移動して撮影する。Ｘ線発生装置８０１に接続されたＸ線管球８０２から照射されたＸ線は、患者８０３を透過し、患者８０３の内部情報をもって撮影台８０６に取り付けられた撮影部８０４に入射する。撮影部８０４に内蔵されたＸ線検出センサ８０５によってデジタル化された画像情報は、接続ケーブル８０７を介して、操作室８４０に配置された制御部８０８に転送され、表示部８０９に表示される。
【０００７】
ところで、このＸ線撮影システム８００は、撮影室８３０に撮影部８０４が固定設置しているため、固定設置された撮影部では撮影しづらい部位、例えば足首部分などを撮影したい場合には都合が悪い。同様に、例えば手術時もしくは患者が重傷で動くことが不可能な場合などにも都合が悪い。そこで、持ち運び可能でかつ広範囲な部位の撮影が可能な、薄型で軽量な可搬型の撮影装置（電子カセッテ）が求められてきている。前述した半導体センサを用いた撮影装置は、センサ部分を大画面でかつ薄く、軽量に形成することが可能であるため、従来のフィルム／スクリーンシステムで用いられているカセッテに近い形状にすることができ、電子カセッテとして使用することができる。
【０００８】
この電子カセッテを使用すれば、例えば、図９に示すように、一つの撮影室９３０の中に、立位用スタンド９０８に取り付けられた立位撮影用センサユニット９０４、臥位用テーブル９１１に取り付けられた臥位撮影用センサ９１０とともに、電子カセッテ９１３を配置して使用することも可能になる。また、図１０に示すように、Ｘ線発生装置１００１とＸ線撮影装置制御部１００２の両方を走行可能な台車に取り付けることによって両者を移動可能な形態にすれば、手術室、病棟を含むあらゆる場所で、電子カセッテ１００３を使用した移動型のＸ線撮影システムを構築することが可能になる。
【特許文献１】特開平８−１１６０４４号公報
【発明の開示】
【発明が解決しようとする課題】
【０００９】
ところで、半導体センサを用いた放射線画像撮影システムにおいては、適切なタイミングで検出器に放射線画像を取込むために、Ｘ線発生装置とＸ線撮影装置との間で同期をとる必要がある。そのため、図８乃至図１０に示したように、通常、撮影部と制御部とはケーブルによって接続されている。しかし、特にカセッテを取り扱う場合においては、カセッテに固定接続されているケーブルが邪魔になって目的の撮影部位にスムーズに配置できず、カセッテ本来のモバイル性を存分に生かしきれなくなるという懸念がある。そこで、主に以下の２つの方法が、対策として提案されている。
【００１０】
一つは、ケーブルを着脱自在な構造にする方法である。しかし、その場合着脱部において導電性接触部が存在するため、操作者や患者の感電等の電気安全上の問題や、装置内部の部品の静電破壊等の問題、或いは、頻繁な着脱による接触端子の劣化などの問題がある。また、例えば導電性接触部を持たない光ファイバにした場合には、取り外された状態でのレーザー出力に対する安全性の問題や、光ファイバのコネクタ部先端に埃や汚れ等が付着して通信障害を起こしやすくなってしまうなどの問題がある。
【００１１】
もう一つの方法は、カセッテと制御部との間をケーブルレスにして、電波或いは赤外線等を使用した無線通信方式にするというものである。しかし、単に通信方式を有線から無線に置き換えただけでは、新たな問題が生じることが懸念される。例えば、ペースメーカなど他の医療機器に対する影響の問題や、他の無線機器との電波干渉による転送信頼性／転送効率の低下の問題、或いは、障害物等による通信不具合の問題などである。また、ケーブルレスにした場合にはカセッテ内部に大容量のバッテリーが必要になるが、連続使用可能時間の問題や、充電作業の手間、カセッテ自体の重量アップ等の問題がある。更に、例えばカセッテが複数台存在するケースにおいては、カセッテと制御部とが目に見える形で接続されていないために、ユーザーがカセッテを取扱う上でも分かりづらく、最悪の場合には、患者に配置したカセッテとは別のカセッテがＸ線発生装置との間で撮影動作制御を行ない、撮影技師はそのことに気付かず、所望のＸ線画像を得ることができなかったという事態が起こり得ることも考えられる。Ｘ線撮影のように、装置同士の１対１の限定性、動作制御の確実性、操作者・患者の安全性などが特に重要視される現場においては、こうした不具合の危険性は非常に深刻かつ重大な問題である。
【００１２】
そこで、本発明の目的は、こうした問題に鑑み、電子カセッテを有する放射線撮影システムにおいて、電気的安全性や電磁環境適合性を損なうことなく、使用者の取り扱い性を向上させ、装置動作制御／データ転送等において信頼性の高い放射線撮影システムを提供することにある。
【課題を解決するための手段】
【００１３】
上記目的を達成するために、本発明の放射線撮影システムは、
被写体を透過した放射線に基づき被写体の放射線画像を撮影する撮影部と、前記撮影部を制御する制御部とを有する放射線撮影システムにおいて、前記撮影部と前記制御部とを接続するケーブルが前記撮影部近傍において着脱可能な構成になっており、前記撮影部及び前記ケーブルの着脱部は近距離無線通信手段を有しており、前記制御部は前記ケーブルと前記撮影部との装着状態を検知する検出手段を有し、該装着状態において前記撮影部との間で放射線撮影動作を行なうことを特徴とする。
【００１４】
本発明の更なる目的又はその他の特徴は、以下、添付の図面を参照して説明される好ましい実施例等によって明らかにされるであろう。
【発明の効果】
【００１５】
本発明によれば、電子カセッテを有する放射線撮影システムにおいて、以下に示す効果を得ることができる。
【００１６】
まず、使用者はカセッテを取扱う際にケーブルを取り外すことができるため、カセッテの撮影部位への配置作業を容易に行なうことができるようになる。そして、カセッテとケーブルとを接続する着脱部には導電部が露出していないため、感電の危険性や内部部品の静電破壊等の心配はなく、更には導電性接触部自体を持たないため、頻繁な着脱による導電性端子の劣化等に起因する接触不良による装置誤動作等の心配もない。また、無線通信が適用される範囲はカセッテ本体側の着脱部とケーブル側の着脱部との間に限られるため、他の装置からの電波干渉の影響を受けにくく、かつ、ペースメーカ等の他の装置に影響を与える心配がない。このように、本発明によれば、電子カセッテを有する放射線撮影システムにおいて、電気的安全性や電磁環境適合性を損なうことなく、使用者の取り扱い性を向上させ、安全かつ信頼性の高い放射線撮影システムを構築することができるようになる。
【発明を実施するための最良の形態】
【００１７】
以下に、本発明の実施の形態を添付の図面に基づいて詳細に説明する。
【実施例】
【００１８】
図１は、本発明の実施形態における、電子カセッテ１０１と制御部１５１のシステムの形態を示す構成図である。本発明においては、電子カセッテ１０１に構成された撮影部側着脱部１０２に、ケーブル１５２の先端に構成されたケーブル側着脱部１５３を装着することによって、電子カセッテ１０１と制御部１５１とを使用したＸ線撮影動作が可能になる。撮影部側着脱部１０２において、１０３は電源電力受信部、１０４は近距離無線通信部、１０５は着脱検出部である。ケーブル側着脱部１５３において、１０６は電源電力供給部、１０７は近距離無線通信部、１０８は着脱検出部である。ここで、近距離無線通信部１０４及び１０７の内部は、アンテナ部、変調部、復調部及びＣＰＵ等で構成されている。なお、近距離無線通信規格としては、例えば非接触ＩＣカード等で利用されているものでは、１３．５６ＭＨｚの周波数帯の電波を用いて、数ｍｍ〜数ｃｍ程度の距離で双方向通信が可能なものなどがある。該通信規格におけるデータ転送速度に関しても近年急速に高速化してきており、Ｘ線撮影における装置間の動作制御はもちろん、撮影画像データの転送にも実用可能なレベルになってきている。
【００１９】
図２は、本発明の実施形態における放射線撮影システムの形態を示すシステム構成図である。これは背景技術で説明した図９の形態において制御部と電子カセッテとを接続しているケーブルをカセッテ側で着脱可能な構成にしたものである。また図２中の撮影室２２０内のカセッテボックス２１３は、カセッテが複数台収納可能な構成になっており、ケーブルが取り外された状態の電子カセッテＣ１〜Ｃ５が収納されている。
【００２０】
図３は、図２に示した各装置の内部ブロック回路構成図を示している。図３において、Ｘ線発生装置２０１は、ＣＰＵ３０１、曝射制御回路３０２、管球制御回路３０３等で構成されている。制御部１５１は、ＣＰＵ３５１、曝射制御回路３５２、画像データ読取回路３５３、撮影制御回路３５４、センサＩ／Ｆ部３５５、不揮発性メモリ３５６、フレームメモリ３５７、画像保存装置３５８、表示・入力Ｉ／Ｆ部３５９等で構成されている。カセッテ１０１は、固体撮像素子３０４、ＡＤ変換回路３０５、ＣＰＵ３０６、不揮発性メモリ３０７、フレームメモリ３０８、撮影制御回路３０９、制御部Ｉ／Ｆ部３１０、固有情報テーブル３１１等で構成されている。またカセッテ１０１と制御部１５１とを接続するケーブル１５２は、撮影部側着脱部１０２とケーブル側着脱部１５３において接続されている。また、２０２はＸ線を照射するＸ線管球、３６０は装置動作や撮影条件の設定あるいは患者識別情報などを入力するための操作部、３６１は撮影依頼情報や各種設定情報あるいは撮影画像を表示するための表示部である。
【００２１】
ところで、通常、撮影にあたってはＸ線センサ部に固有の情報が必要になる。例えば、センサ部内の固体撮像装置のどの画素が正常に機能しないかという画素欠陥情報であり、この情報は、最終的に適正な画像表示を行なうために必要である。また、Ｘ線センサ部は、その用途によっては、蛍光体が異なったり、Ｘ線検出器やグリッドを、持っていたり、いなかったりすることが考えられ、それによってＸ線撮影動作の制御方法も異なってくる。また、固体撮像素子の寿命を決める通電時間もセンサを使用し続ける上で重要な情報となる。更には、Ｘ線センサ部とＸ線発生装置との組み合わせ毎に固有である情報、例えば、プリディレイ、ポストディレイ、ゲイン特性補正データなどの情報も、撮影動作制御及び画像表示の際に必要となってくる。ここで、プリディレイとは、Ｘ線センサ部の曝射許可信号オンのタイミングからＸ線発生装置が実際にＸ線を発生するまでに要する時間であり、主にＸ線センサ部側でグリッド駆動動作開始タイミング制御のために使用される。ポストディレイとは、Ｘ線センサ部の曝射許可信号オフのタイミングからＸ線発生部が実際に曝射を停止するまでに要する時間であり、主にＸ線センサ部側で画像取得動作開始タイミング制御のために使用される。また、ゲイン特性補正データとは、固体撮像装置を構成している光電変換素子の各画素毎の感度（ゲイン）差を補正する為のデータである。これらのデータは、Ｘ線センサ部とＸ線発生装置との組み合わせ毎に異なるものである為、あらかじめ固有情報として取得しておくことが有効となる。そこで例えば、Ｘ線センサ部内に電源のＯＮ／ＯＦＦによらずデータを保持しうる不揮発性の記憶装置を持ち、これらの固有情報を保存する方法がとられている。図３におけるカセッテ１０１内の不揮発性メモリ３０７内部には、これらの情報がＸ線発生装置の識別番号とともに保存されている。
【００２２】
さて、このような構成のカセッテ１０１及び制御部１０２において、実際のＸ線撮影における動作を、図１から図３に示す構成図、及び、図４から図６に示すフローチャートに基づいて以下に説明する。なお、図４は撮影技師の操作の流れを、図５は制御部１５１内部の動作の流れを、図６はカセッテ１０１内部の動作の流れを、それぞれ表したものである。
【００２３】
まず、撮影技師は、ステップＳ４０１において、カセッテ収納ボックス２１３から使用するカセッテを取り出し、ステップＳ４０２において、患者とベッドの間にカセッテ１０１を配置し患者に対して適切なポジショニングを行なう。そしてステップＳ４０３において、ケーブル１５２の先端の着脱部１５３を、カセッテ１０１の着脱部１０２に装着する。着脱部１５３と着脱部１０２とは図示しない機械的な結合手段により結合される。
【００２４】
制御部１５１内のＣＰＵ３５１は、ステップＳ５０１において、着脱部１５３の着脱検出部１０８によりカセッテが接続されたことを検知すると、ステップＳ５０２において、電源電力供給部１０６により、カセッテ１０１内部のセンサを駆動するための電源を供給する。そして、ステップＳ５０３において、撮影依頼情報記憶部３６２に格納されている撮影オーダに関する情報や、不揮発性メモリ３５６に格納されているＸ線発生装置固有の情報を読み出し、近距離無線通信部１０７を通して、カセッテ１０１に送信する。
【００２５】
カセッテ１０１内のＣＰＵ３０６は、ステップＳ６０１において、電源電力受信部１０３により制御部より電源が供給されると、ステップＳ６０２において、撮影可能状態へと遷移開始する。そして、ステップＳ６０３において、制御部から送信される撮影オーダ情報やＸ線発生装置の情報を受信すると、ステップＳ６０４において、取得した制御部識別情報に対応する固有情報データを不揮発性メモリ２５６内部から検索して抜き出し、ＳＲＡＭあるいは不揮発性メモリ等で構成された固有情報テーブル３１１の内容を、受信した固有情報データの内容に書き換える。そして、ステップＳ６０５において不揮発性メモリ３０７に格納されていたカセッテ１０１自身の固有情報を、近距離無線通信部１０４を通して、制御部１５１に送信する。また、カセッテ内部が撮影可能状態に遷移すると、カセッテに構成された図示しないＬＥＤ等の表示部に、撮影可能状態であることを表示する。
【００２６】
制御部１５１内のＣＰＵ３５１は、ステップＳ５０４において、カセッテ１０１からのカセッテ識別情報を近距離無線通信部１０７により受信する。
【００２７】
撮影技師は、カセッテ１０１の表示部により撮影可能状態であることを確認し、ステップＳ４０４において、図示しないＸ線曝射スイッチを押す。
【００２８】
制御部１５１内のＣＰＵ３５１は、ステップＳ５０５おいて曝射制御回路３５２により曝射スイッチが押されたことを検出すると、ステップＳ５０６において撮影制御回路３５４及び近距離無線通信部１０７によりカセッテ１０１へ曝射要求信号を送信する。
【００２９】
カセッテ１０１内のＣＰＵ３０６は、ステップＳ６０６において制御部１５１からの曝射要求信号を受信すると、ステップＳ６０７においてカセッテ内部が撮影準備完了状態であることを確認して、ステップＳ６０８において撮影制御回路３０９及び近距離無線通信部１０４により制御部１５１へ曝射許可信号を送信する。
【００３０】
制御部１５１内のＣＰＵ３５１は、ステップＳ５０７において曝射許可信号を受信すると、ステップＳ５０８において、曝射制御回路３５２により曝射許可信号をＸ線発生装置２０１に送信する。Ｘ線発生装置内のＣＰＵ３０１は、管球制御回路３０３によりＸ線管球２０２からＸ線を照射する。
【００３１】
なお、ここで、センサ部に移動グリッドを有している場合、Ｘ線の曝射に合わせて、グリッドが最適なスピードになるように、グリッド動作開始のタイミングを最適にする必要がある。これは前述したように、カセッテ１０１内部の固有情報テーブル３１１内に書き込まれたプリディレイ時間を使用することにより可能である。
【００３２】
Ｘ線管球２０２から照射されたＸ線は、患者を透過し、患者の内部情報をもってカセッテ１０１に入射する。カセッテ１０１内の固体撮像装置３０４は、Ｘ線を強度に比例した可視光に変換する蛍光体を、可視光を強度に比例した電気信号に変換する光電変換装置に貼り付けた形で構成されており、光電変換装置で電気信号に変換されたＸ線画像データは、Ａ／Ｄ変換回路３０５によりデジタルデータに変換されることになる。ここで、Ａ／Ｄ変換回路３０５が画像データを読み出すタイミングとしては、実際にＸ線が遮断された直後であることが望まれる。そこで、カセッテ１０１内のＣＰＵ３０６は、ステップＳ６０９において、前述したポストディレイ時間を固有情報テーブル３１１から読み出し、曝射許可信号をＯＦＦにした時点からポストディレイ時間経過したタイミングで画像取込みを開始する。そして、ステップＳ６１０において取得した画像データをＡ／Ｄ変換回路３０５によりデジタルデータに変換し、フレームメモリ３０８に格納する。フレームメモリ３０８に蓄えられた画像データは、ステップＳ６１１において、近距離無線通信部１０４を通し制御部１５１に送信される。
【００３３】
制御部１５１内のＣＰＵ３５１は、画像データを受信すると、必要な処理を施した後、ステップＳ５０９において撮影画像を表示部３６１に表示し、ステップＳ５１０においてハードディスク等の画像データ保存部３５８に撮影画像データを保存する。
【００３４】
以上のようにして、撮影技師は患者に対して必要枚数のＸ線撮影を行ない、全ての撮影が終了したら、ステップＳ４０６においてカセッテ１０１の着脱部１０２からケーブル側着脱部１５３を取り出し、ステップＳ４０７においてカセッテ１０１をカセッテ収納ボックス２１３に収納する。
【００３５】
カセッテ１０１内のＣＰＵ３０６は、ステップＳ６１３において着脱部１０２内の着脱検出部１０５により、ケーブルが取り外されたことを検知すると、ステップＳ６１４において省電力状態に遷移し、制御部１５１との間のＸ線撮影動作ルーチンを終了する。
【００３６】
また、制御部１５１内のＣＰＵ３５１は、ステップＳ５１２において着脱部１５３内の着脱検出部１０８により、カセッテが取り外されたことを検知すると、カセッテ１０１との間のＸ線撮影動作ルーチンを終了する。
【００３７】
以上のようにして、制御部１５１とカセッテ１０１とを使用した場合のＸ線撮影動作が行なわれることになる。
【００３８】
また、例えば別のカセッテ（仮にカセッテＢとする）を用いて使用する場合には、同様にカセッテ収納ボックスから取り外したカセッテを、ケーブル１５２の着脱部１５３と接続させることにより、制御部１５１とカセッテＢとを使用したＸ線撮影動作が行なわれることになる。そして、その場合には、たとえ近くにカセッテ１０１（カセッテＡ）が存在していたとしても、Ｘ線撮影動作はＸ線撮影装置１０１とカセッテＢとの間で行なわれ、所望の画像データはカセッテＢ内部のフレームに確実に格納されることになり、誤動作あるいは再撮影などのトラブルを防ぐことができる。撮影技師にとっては、カセッテにケーブルが接続されているか否かがそのまま、そのカセッテが使用可能か否かを表しているため、カセッテの取り扱いが容易になり、誤操作、誤撮影を防止することができる。
【００３９】
なお、上記実施例においては、電波を用いた近距離無線通信の例を挙げたが、赤外線等を用いた近距離無線通信手段を使用して実施することも可能である。図７は、その場合における電子カセッテ１０１と制御部１５１のシステムの形態を示す構成図である。図７において、撮影部側着脱部７０２は、光通信モジュール７０３、着脱検出部７０８により構成されており、光通信モジュール７０３の内部は、光通信制御回路７０４、光通信送信回路７０５、光通信受信回路７０６、光通信送受信レンズ部７０７等で構成されている。また、ケーブル側着脱部７５３は、光通信モジュール７０９、着脱検出部７１４により構成されており、光通信モジュール７０９の内部は、光通信制御回路７１０、光通信送信回路７１１、光通信受信回路７１２、光通信送受信レンズ部７１３等で構成されている。また、カセッテ内部のセンサ駆動用電源は、図１の場合と同様に制御部から供給することも可能であるが、例えばカセッテ内部にバッテリーを搭載することにより供給することも可能である。その場合には、図１における電源電力供給部及び電源電力受信部が不要になる。
【００４０】
以上、本発明の好ましい実施例について説明したが、本発明はこれらの実施例に限定されないことはいうまでもなく、その要旨の範囲内で種々の変形及び変更が可能である。
【図面の簡単な説明】
【００４１】
【図１】本発明の放射線撮影システムに係る実施形態の構成を示した図である。
【図２】本発明の放射線撮影システムに係る実施形態のシステム構成を示した図である。
【図３】本発明の放射線撮影システムに係るＸ線発生装置及び制御部及びカセッテの内部構成を示した図である。
【図４】本発明の放射線撮影システムに係る実施形態の撮影技師の操作を示したフローチャートである。
【図５】本発明の放射線撮影システムに係る実施形態のＸ線撮影装置制御部の動作を示したフローチャートである。
【図６】本発明の放射線撮影システムに係る実施形態のカセッテの動作を示したフローチャートである。
【図７】本発明の放射線撮影システムに係る実施形態の構成を示した図である。
【図８】従来の放射線撮影システムの構成を示した図である。
【図９】従来の放射線撮影システムの構成を示した図である。
【図１０】従来の移動型Ｘ線撮影システムの構成を示した図である。
【符号の説明】
【００４２】
１０１  カセッテ
１０２，１５３  着脱部
１０３  電源電力受信部
１０４，１０７  近距離無線通信部
１０５，１０８  着脱検出部
１０６  電源電力供給部
１５１  制御部
１５２  インターフェイスケーブル
２０１  Ｘ線発生装置
２０２  Ｘ線管球
２０３  患者
２０４  立位センサ
２０５  固体撮像装置
２０６  蛍光体
２０７  光電変換装置
２０８  立位用スタンド
２０９，２１２，２１４  インターフェイスケーブル
２１０  臥位センサ
２１１  臥位用テーブル
２１３  カセッテ収納ボックス
２１５  表示部
３０１，３０６，３５１  ＣＰＵ
３０２，３５２  曝射制御回路
３０３  管球制御回路
３０４  固体撮像装置
３０５  Ａ／Ｄ変換回路
３０７，３５６  不揮発性メモリ
３０８，３５７  フレームメモリ
３０９，３５４  撮影制御回路
３１０  制御部Ｉ／Ｆ部
３１１  固有情報テーブル
３５５  センサＩ／Ｆ部
３５８  画像保存装置
３５９  表示・入力Ｉ／Ｆ部
３６０  表示部
３６１  操作部
３６２  撮影依頼情報記憶部
７０２，７５３  着脱部
７０３，７０９  光無線通信モジュール
７０４，７１０  光通信制御回路
７０５，７１１  光通信送信回路
７０６，７１２  光通信受信回路
７０８，７１４  着脱検出部
８０１  Ｘ線発生装置
８０２  Ｘ線管球
８０３  患者
８０４  撮影部
８０５  Ｘ線検出センサ
８０６  撮影台
８０７，８１０  接続ケーブル
８０８  Ｘ線撮影装置制御部
８０９  Ｘ線撮影装置表示部
９０１  Ｘ線発生装置
９０２  Ｘ線管球
９０３  患者
９０４，９１０  センサユニット
９０５  固体撮像装置
９０６  蛍光体
９０７  光電変換装置
９０８  立位用スタンド
９１１  臥位用スタンド
９０９，９１２，９１４，９１６  インターフェイスケーブル
９１３  カセッテ
９１６  制御部
９１７  表示部
１００１  移動型Ｘ線発生装置
１００２  移動型Ｘ線撮影装置制御部
１００３  撮影部
１００４  表示部
１００５，１００６  接続ケーブル
【図１】
2006320532.tif 000003
【図２】
2006320532.tif 000004
【図３】
2006320532.tif 000005
【図４】
2006320532.tif 000006
【図５】
2006320532.tif 000007
【図６】
2006320532.tif 000008
【図７】
2006320532.tif 000009
【図８】
2006320532.tif 000010
【図９】
2006320532.tif 000011
【図１０】
2006320532.tif 000012